(57)【要約】【課題】低コスト、低床、軽量、且つ施工時間が短い免震床を提供する。【解決手段】フレーム１，２に複数個のボールベアリング５を固定することによりフレーム１，２を床スラブ９上に移動自在に配置した免震床において、フレーム１，２を開口部を下方に向けたＣ形鋼によって形成し、該Ｃ形鋼の上板部１ｃ内面にボールベアリング５を固定するとともに、ボールベアリング５の取り付け高さ調節機構６，７，８を設けるようにした。【効果】低コスト、低床、軽量、且つ施工時間が短い免震床が得られると共に、前記ボールベアリングを確実に接地させることができる。【選択図】図５
2006348748.tif 000002
【特許請求の範囲】
【請求項１】
フレームに複数個のボールベアリングを固定することにより前記フレームを床スラブ上に移動自在に配置した免震床において、
前記フレームを開口部を下方に向けたＣ形鋼によって形成し、該Ｃ形鋼の上板部内面に前記ボールベアリングを固定するとともに、前記ボールベアリングの取り付け高さ調節機構を設けたことを特徴とする免震床。
【請求項２】
フレームに複数個のボールベアリングを固定することにより前記フレームを床スラブ上に移動自在に配置し、フレームの上面に支持脚を載置し、該支持脚によって床板を支持することにより、フレームの上面との間に間隔を開けて前記床板を敷き詰めたフリーアクセスフロア免震床において、
前記フレームを開口部を下方に向けたＣ形鋼によって形成し、該Ｃ形鋼の上板部内面に前記ボールベアリングを固定するとともに、前記ボールベアリングの取り付け高さ調節機構を設けたことを特徴とするフリーアクセスフロア免震床。
【請求項３】
前記フレームのうちの相対向する側面に相対向するように突出部を突設し、該突出部間に掛け渡し部材を掛け渡すことにより、前記フレームの上面と前記掛け渡し部材の上面とによって前記支持脚を支持した請求項２に記載のフリーアクセスフロア免震床。
【発明の詳細な説明】
【技術分野】
【０００１】
本発明は免震床に関し、特にフリーアクセスフロア用の免震床に関する。
【背景技術】
【０００２】
従来の免震床は、例えばＨ型鋼によってフレームを形成し、Ｈ型鋼の下面に例えば３ｍピッチにてボールベアリングを固定する構造が用いられていた。
【発明の開示】
【発明が解決しようとする課題】
【０００３】
このような従来の免震床構造は、Ｈ型鋼を用いているから著しく重く、同時にコスト高となり、施工時間も長時間を要していた。また、Ｈ型鋼の下面にボールベアリングを固定しているから、床スラブ面からフレームの上面までの高さが著しく高いという問題点を有していた。したがって本発明は、低コスト、低床、軽量、且つ施工時間が短い免震床を提供することを課題とする。
【課題を解決するための手段】
【０００４】
上記課題を解決するために本発明は、
フレームに複数個のボールベアリングを固定することにより前記フレームを床スラブ上に移動自在に配置した免震床において、
前記フレームを開口部を下方に向けたＣ形鋼によって形成し、該Ｃ形鋼の上板部内面に前記ボールベアリングを固定するとともに、前記ボールベアリングの取り付け高さ調節機構を設けたことを特徴とするものである。
【０００５】
また、上記課題を解決するために本発明は、
フレームに複数個のボールベアリングを固定することにより前記フレームを床スラブ上に移動自在に配置し、フレームの上面に支持脚を載置し、該支持脚によって床板を支持することにより、フレームの上面との間に間隔を開けて前記床板を敷き詰めたフリーアクセスフロア免震床において、
前記フレームを開口部を下方に向けたＣ形鋼によって形成し、該Ｃ形鋼の上板部内面に前記ボールベアリングを固定するとともに、前記ボールベアリングの取り付け高さ調節機構を設けたことを特徴とするものである。
【発明の効果】
【０００６】
本発明に係る免震床によれば、
フレームに複数個のボールベアリングを固定することにより前記フレームを床スラブ上に移動自在に配置した免震床において、
前記フレームを開口部を下方に向けたＣ形鋼によって形成し、該Ｃ形鋼の上板部内面に前記ボールベアリングを固定するとともに、前記ボールベアリングの取り付け高さ調節機構を設けたことにより、
低コスト、低床、軽量、且つ施工時間が短い免震床が得られると共に、前記ボールベアリングを確実に接地させることができる。
【０００７】
また、本発明に係るフリーアクセスフロア免震床によれば、
フレームに複数個のボールベアリングを固定することにより前記フレームを床スラブ上に移動自在に配置し、フレームの上面に支持脚を載置し、該支持脚によって床板を支持することにより、フレームの上面との間に間隔を開けて前記床板を敷き詰めたフリーアクセスフロア免震床において、
前記フレームを開口部を下方に向けたＣ形鋼によって形成し、該Ｃ形鋼の上板部内面に前記ボールベアリングを固定するとともに、前記ボールベアリングの取り付け高さ調節機構を設けたことにより、
低コスト、低床、軽量、且つ施工時間が短いフリーアクセスフロア免震床が得られると共に、前記ボールベアリングを確実に接地させることができる。
【発明を実施するための最良の形態】
【０００８】
本発明の実施の形態を図面によって説明する。図１は本発明による免震床の一実施例を示す。この免震床はフリーアクセスフロア用の免震床であり、複数本の縦フレーム１の間に複数本の横フレーム２を固定することにより、全体のフレームが組まれている。各フレーム１，２は角筒状パイプによって形成されており、また本実施例では、縦横のフレーム１，２は溶接によって相互に固定されている。相対向する縦フレーム１，１の側面には、相対向するように突出部３，３が突設されており、この突出部３，３には、断面コ字状の掛け渡し部材４が掛け渡されている。
【０００９】
図２は図１中Ａ−Ａ線矢視の右半部分を示し、同図に示すように、縦フレーム１のうちの横フレーム２との接合箇所に、それぞれボールベアリング５が固定されている。縦フレーム１は角筒状パイプによって形成されているが、ボールベアリング５を固定する部分での角筒状パイプの下板部１ａには、貫通孔１ｂが設けられており、ボールベアリング５はこの貫通孔１ｂを貫通して、角筒状パイプの上板部１ｃの内面に固定されている。すなわちボールベアリング５の頂部からはおねじ５ａが突出しており、このおねじ５ａに延長用止めネジ６が螺着されている。この延長用止めネジ６の上端には、すり割り６ａが設けられている。他方、角筒状パイプの上板部１ｃの下面には、下ナット７が溶接によって固定されており、この下ナット７に延長用止めネジ６が螺入されている。延長用止めネジ６の上部は上板部１ｃの上面より上方に突出し、この突出部分に上ナット８が螺着されている。
【００１０】
こうして延長用止めネジのすり割り６ａを利用して、延長用止めネジ６を下ナット７にねじ込み、あるいはねじ戻すことにより、ボールベアリング５の取り付け高さを調節し、しかる後に上ナット８を延長用止めネジ６に締め付けることにより、その位置で延長用止めネジ６をロックするように構成されている。なお免震床の部分では、床スラブ９上には鋼板９ａが敷かれており、ボールベアリング５はこの鋼板９ａ上を転動する。
【００１１】
各縦フレーム１、横フレーム２、及び掛け渡し部材４の上面には位置決め部材１０が載置されており、位置決め部材１０上にはこの位置決め部材１０によって位置決めされた支持脚１１が載置されている。本実施例の支持脚１１は、金属パイプ１１ａと、この金属パイプ１１ａ上に取り付けた樹脂製の受け具１１ｂとからなる。受け具１１ｂの上面には縦横にスリットが刻設されており、このスリットに床板１２の側面リブが嵌入しており、こうしてフレーム１，２上に、間隔を開けて複数枚の床板１２を支持するように構成されている。床板１２上にはカーペット１３が敷かれる。
【００１２】
図３は図１中Ａ−Ａ線矢視の左半部分を示し、この図３は固定床の部分であり、次のように形成されている。床スラブ９上に位置決め部材１０が敷かれており、その上に支持脚１１が載置されている。支持脚１１は金属パイプ１１ａと受け具１１ｂとからなり、受け具１１ｂ上に複数枚の床板１２が載置されており、床板１２上にカーペット１３が敷かれている。こうして床スラブ９上に、間隔を開けて複数枚の床板１２を支持するように構成されている。固定床部分での金属パイプ１１ａの高さは、免震床部分での金属パイプ１１ａよりも長く形成されている。また図２、図３に示すように、免震床から固定床にかけて、緩衝床板１４が掛け渡されている。
【００１３】
本実施例は以上のように構成されており、地震荷重が作用して床スラブ９が縦横に振動しても、免震床はボールベアリング５を介して床スラブ９上に載置されているから、地震荷重を軽減することができる。なお地震エネルギーの吸収は、ボールベアリング５のころがり摩擦抵抗、緩衝床板１４と固定床の床板１２との摺動摩擦抵抗などによって行われる。また本実施例では、地震発生前の位置に免震床を戻すための復元機構を用いていないが、コイルバネ等を用いることにより復元力を持たせることもできる。
【００１４】
しかして本実施例において、縦フレーム１は角筒状パイプによって形成されており、この角筒状パイプの下板部１ａに設けた貫通孔１ｂを貫通して、上板部１ｃにボールベアリング５を固定している。したがってＨ型鋼の下面にボールベアリングを固定した従来技術と比較して、低コスト、低床、軽量、且つ施工時間が短い免震床となっている。なお本実施例ではフリーアクセスフロアに適用した免震床を示したが、免震床の上にフリーアクセスフロアを載置せずに、通常の免震床として本発明を用いることもできる。
【００１５】
次に図４と図５は別の実施例を示し、この実施例では図５に示すように、フレーム１，２の材料としてＣ形鋼を用いており、このＣ形鋼は開口部を下方に向けて配置されており、ボールベアリング５はＣ形鋼の上板部１ｃの内面に固定されている。なおＣ形鋼は、平板状の鋼板を折り曲げ加工することによって形成されている。また縦フレーム１には、横フレーム２を取り付けた位置の中間部にもボールベアリング５を設けている。更に縦フレーム１の側面に取り付けた突出部３は、縦フレームの長手方向に連続するように設けられており、したがって掛け渡し部材４の下面がこの突出部の上面に載置される。また掛け渡し部材４の位置決めを図るために、突出部３に上方に向けて位置決め部３ａを立設している。このように形成しても前記実施例と同様の効果を得ることができる。
【図面の簡単な説明】
【００１６】
【図１】本発明の一実施例を示す平面図である。
【図２】図１中Ａ−Ａ線矢視の右半部分を示す断面図である。
【図３】図１中Ａ−Ａ線矢視の左半部分を示す断面図である。
【図４】別の実施例を示す平面図である。
【図５】図４中Ｂ−Ｂ線矢視断面図である。
【符号の説明】
【００１７】
１  縦フレーム
１ａ  下板部
１ｂ  貫通孔
１ｃ  上板部
２  横フレーム
３  突出部
３ａ  位置決め部
４  掛け渡し部材
５  ボールベアリング
５ａ  おねじ
６  延長用止めネジ
６ａ  すり割り
７  下ナット
８  上ナット
９  床スラブ
９ａ  鋼板
１０  位置決め部材
１１  支持脚
１１ａ  金属パイプ
１１ｂ  受け具
１２  床板
１３  カーペット
１４  緩衝床板
【図１】
2006348748.tif 000003
【図２】
2006348748.tif 000004
【図３】
2006348748.tif 000005
【図４】
2006348748.tif 000006
【図５】
2006348748.tif 000007